(57)【要約】      （修正有）【課題】高所で使用でき、木製壁パネルの平坦率を高くできるサンドペーパーの平坦化工具を提供する。【解決手段】サンドペーパーの平坦化工具は、底部板１０と把持部２０を含む。底部板の頂部の隣接する両側辺にはサンドペーパー３０を固設するそれぞれ少なくとも１つの第１弾性クリップ１１、第２弾性クリップ１２が設けられている。把持部は水平状の把持棒２１として設けられ、把持棒の底端には直棒が設けられ、直棒の底端は底部板の頂部に接続し、把持棒の後端には伸縮棒の取付けに用いられるネジ孔２２が設けられている。【選択図】図１
0003197896.tif 000002
【実用新案登録請求の範囲】
【請求項１】
サンドペーパーの平坦化工具において、
底部板と、把持部と、を含み、
該底部板の頂部、かつ隣接する両側辺には少なくとも１つの第１弾性クリップ、第２弾性クリップがそれぞれ設けられており、
該把持部は水平状の把持棒として設けられ、該把持棒の底端には直棒が設けられ、更に該直棒の底端は該底部板の頂部に接続され、更に該把持棒の後端にはネジ孔が設けられている、サンドペーパーの平坦化工具。
【請求項２】
サンドペーパーを更に含み、該サンドペーパーの片側は該第１弾性クリップに固定され、該サンドペーパーの他の片側は該底部板の底面を通った後、更に該第２弾性クリップに設けられている、請求項１に記載のサンドペーパーの平坦化工具。
【請求項３】
伸縮棒を含み、該伸縮棒の頂端には雄ネジが設けることにより、該雄ネジが該把持部のネジ孔内に螺合する、請求項１に記載のサンドペーパーの平坦化工具。
【請求項４】
前記第１弾性クリップ、第２弾性クリップは、それぞれ2つである、請求項１から請求項３のいずれか一項に記載のサンドペーパーの平坦化工具。
【考案の詳細な説明】
【技術分野】
【０００１】
本考案はサンドペーパーの平坦化工具に関し、詳しくは、作業員による使用を便利にして、人力で木板に対して平坦に研磨作業を行うことができる技術に関する。
【背景技術】
【０００２】
通常、塗料で塗装作業を行う時は、木製壁パネルが平坦では無く粗くなって、塗料で壁パネルに対して塗装する際の美しさに影響を与えるため、作業人員が常にサンドペーパーを携帯しなければならない。図５に示されるように、作業員は手掌で該サンドペーパーを押圧し、更に木製壁パネルに対して平坦に研磨作業を行っている。しかし、手掌では該サンドペーパーへ力を加えにくくなり、更に加える力が均等でないため、平坦に研磨を行う作業効率に影響を与えている。
【考案の概要】
【考案が解決しようとする課題】
【０００３】
従来の木製壁パネルを平坦に研磨するために用いるサンドペーパーにおける、上述の問題点に対して、本考案の考案者は鋭意検討して本考案の技術的特徴を開発した。本考案の目的は、主に木製壁パネルの平坦率を高くするサンドペーパーの平坦化工具を提供することにある。更に、高所での使用が可能なサンドペーパーの平坦化工具を提供している。
【課題を解決するための手段】
【０００４】
上述の目的を達するため、本考案のサンドペーパーの平坦化工具は、頂部かつ互いに隣接する両辺には少なくとも１つの第１弾性クリップ、第２弾性クリップが設けられている底部板と、水平状の把持棒として設けられている把持部と、を含み、該把持棒の底端には直棒が設けられ、更に該直棒の底端には前記底部板の頂部に設けられ、更に該把持棒の後端にはネジ孔が設けられている。
【０００５】
前記サンドペーパーの平坦化工具は、サンドペーパーを更に含み、該サンドペーパーの片側は該第１弾性クリップに固設され、該サンドペーパーの他の片側は該底部板の底面を通って該第２弾性クリップに設けられている。
【０００６】
前記サンドペーパーの平坦化工具は、伸縮棒を更に含み、該伸縮棒の頂端は該把持部に設けられている。
【０００７】
前記該第１弾性クリップ、第２弾性クリップはそれぞれ2つである。
【０００８】
上述の技術手段に基づいて、本考案は従来技術に比べて以下のような特徴を有する。
１、本考案におけるサンドペーパーの平坦化工具はセメントヘラに類似する。サンドペーパーを該底部板の第1弾性クリップ、第２弾性クリップにより挟持することにより、作業員が該把持部を握って、更に該底部板と該底部板の下部に位置するサンドペーパーに対して力を便利に加えることができ、更に該底部板の平坦度を用いて木製壁パネルに対して平坦に研磨作業を行うことができる。
２、本考案のサンドペーパーの平坦化工具において、伸縮棒の頂端が該把持部のネジ孔内に設けられているため、作業員が木製壁パネルの高所に対して便利に平坦に研磨作業を行うことができる。
【図面の簡単な説明】
【０００９】
【図１】図1は、本考案の好ましい実施例の立体外観図である。
【図２】図2は、本考案の好ましい実施例の立体分解図である。
【図３】図3は、本考案の好ましい実施例の縦断面図である。
【図４】図4は、本考案の好ましい実施例で伸縮棒を組み合わせて使用するための説明図である。
【図５】図5は、従来の木板の平坦作業を示す図である。
【考案を実施するための形態】
【００１０】
先ず、図1から図3に示されたように、サンドペーパーの平坦化工具1は、底部板10、把持部20、サンドペーパー30を含む。
【００１１】
好ましくは、該底部板10が矩形平板であり、該底部板の頂部101、かつ該頂部101の両側辺には、少なくとも１つの第１弾性クリップ11、第２弾性クリップ12が設けられており、好ましくは、2つの第１弾性クリップ11と2つの第２弾性クリップ12は、それぞれ該把持部20の両側に位置する。該第１弾性クリップ11は、挟棒枠112、ベース体111、2つのトルクバネから構成されており、該挟棒枠112は、該ベース体111に設けられている枢着部113に枢設され、該挟棒枠112、枢着部113の間には２つの該トルクバネが設けられているため、該挟棒枠112が該サンドペーパー30を挟持する作用を有する。特に、該挟棒枠112には引き部114が設けられているため、作業員が容易に挟棒枠112を後ろへ引くことにより、2つの該トルクバネの弾性力を利用し、更に該挟棒枠112を前へ引いて該サンドペーパー30を堅固に挟持することができる。同じく、該第２弾性クリップ12の構造は、該第１弾性クリップ11と同様で、該第１弾性クリップ11、第２弾性クリップ12の差異は、異なる箇所に設けられている。
【００１２】
該把持部20は水平状に設けられている把持棒21であり、該把持棒21の底端には直棒23が設けられ、更に、該直棒23の底端は該底部板10の頂部101に接続して設けられており、該把持棒の後端にはネジ孔22が設けられている。
【００１３】
該サンドペーパー30において、該サンドペーパー30の片側は該第１弾性クリップ11により固定され、該サンドペーパー30の他の片側は該底部板10の底面102を通って該第２弾性クリップ12に挟持される。
【００１４】
図3に示されたように、上述の各セルにより、本考案のサンドペーパーの平坦化工具1が構成されている。使用する時、先に、該サンドペーパー30を底部板10の下方に配置し、その後、該サンドペーパー30の両側を該サンドペーパー30の各第１弾性クリップ11、第２弾性クリップ12に挟持させた後、該サンドペーパー30を引張って該底部板10の底部102に密着させている。即ち、作業員が第1バネクリップ11、第2バネクリップの挟棒枠を後ろへ引き、更に該挟棒枠を前へ引いて該サンドペーパー30を挟持させている。そのため、本考案はセメントヘラ構造に類似し、作業員が該把持部20の把持棒21を手で容易に握って、該底部板10と該底部板10の下方に位置するサンドペーパー30に対して力を容易に加えることができ、更に該底部板10の平坦度を用いて木製壁パネル面5に対して平坦に研磨作業を行うことができる。
【００１５】
図4に示されたように、本考案は伸縮棒40を更に設けても良い。該伸縮棒40の前端には雄ネジ41が設けられているため、該雄ネジ41を該把持部20のネジ孔201内に螺合されることにより、作業員が木製壁パネル5の高所で平坦に研磨作業を行うことができる。
【００１６】
上述により、本考案の「サンドペーパーの平坦化工具」はセメントヘラ構造に類似する。サンドペーパーは該底部板の第1弾性クリップ、第２弾性クリップにより挟持されるため、作業員は便利に該把持部を握ることができ、更に該底部板と該底部板の下方に位置するサンドペーパーに対して力を加えることができ、更に該底部板の平坦度を用いて木製壁パネルに対して平坦に研磨作業を行うことができる。更に本考案のサンドペーパーの平坦化工具は、伸縮棒の頂端を該把持部のネジ孔内に設けることができるため、作業員が木製壁パネルの高所で平坦に研磨作業を行うことができる。更に、その構成構造は刊行物に記載されず、実用新案登録の出願要件に適合するため、本考案は迅速に登録されるべきである。
【００１７】
上述は、本考案における具体的実施例に適用される技術思想である。もし、本考案の構想のために行った変更により、生じる性能は、依然として明細書と図面に記載された内容を超えない場合、本考案の保護範囲内に属するべきである。
【符号の説明】
【００１８】
1 サンドペーパーの平坦化工具
10 底部板
101 頂部
11 第１弾性クリップ
111 ベース体
11 2挟棒枠
113 枢着部
114 引き部
12 第２弾性クリップ
20 把持部
21 把持棒
22 ネジ孔
23 直棒
30 サンドペーパー
40 伸縮棒
41 雄ネジ
5 木製壁パネル
【図１】
0003197896.tif 000003
【図２】
0003197896.tif 000004
【図３】
0003197896.tif 000005
【図４】
0003197896.tif 000006
【図５】
0003197896.tif 000007
【手続補正書】
【提出日】平成27年3月30日(2015.3.30)
【手続補正１】
【補正対象書類名】図面
【補正対象項目名】図２
【補正方法】変更
【補正の内容】
【図２】
0003197896.tif 000008